(57)【要約】【課題】金属管に対する加工作業を不要とし、接続作業を容易とする。【解決手段】それぞれの金属管付き光ファイバの光ファイバを内部に通す接続管２０と、それぞれの金属管付き光ファイバの金属管２０１と接続管２０とを接続する接続スリーブ３０とを備え、接続スリーブの内面には、当該接続スリーブの一端部側から挿入された金属管の外面部に接触する第一の凹凸部３４１と、接続スリーブの他端部から挿入された接続管の外面部と接触する第二の凹凸部３５１とが設けられ、接続スリーブの内面と金属管の外面との間に介在する第一のシーリング部材３７と、接続スリーブの内面と接続管の外面との間に介在する第二のシーリング部材３８とを備えている。【選択図】図２
2017191136.tif 000002
【特許請求の範囲】
【請求項１】
金属管と当該金属管内に挿通された光ファイバとを有する金属管付き光ファイバの端部同士を接続する接続構造であって、
それぞれの前記金属管付き光ファイバの光ファイバを内部に通す接続管と、
それぞれの前記金属管付き光ファイバの金属管と前記接続管とを接続する接続スリーブとを備え、
前記接続スリーブの内面には、当該接続スリーブの一端部側から挿入された前記金属管の外面部に接触する第一の凹凸部と、前記接続スリーブの他端部から挿入された前記接続管の外面部と接触する第二の凹凸部とが設けられ、
前記接続スリーブの内面と前記金属管の外面との間に介在する第一のシーリング部材と、
前記接続スリーブの内面と前記接続管の外面との間に介在する第二のシーリング部材とを備えることを特徴とする金属管付き光ファイバの接続構造。
【請求項２】
前記接続スリーブは、前記第一の凹凸部を備える第一のスリーブと、前記第二の凹凸部を備える第二のスリーブとを有し、
前記第一のスリーブと前記第二のスリーブとの間に、前記接続管の長手方向に沿った回転軸回りに形成された雄ネジ及び雌ネジからなるネジ構造が形成され、当該ネジ構造により前記第一のスリーブと前記第二のスリーブとが連結されていることを特徴とする請求項１記載の金属管付き光ファイバの接続構造。
【請求項３】
前記接続スリーブは、前記第一の凹凸部を備える第一のスリーブと、前記第二の凹凸部を備える第二のスリーブと、前記金属管と前記接続管とが一端部と他端部とに個別に挿入される中間スリーブとを有し、
前記第一のシーリング部材及び前記第二のシーリング部材は、前記中間スリーブ内に設けられ、
前記第一のスリーブと前記中間スリーブ及び前記第二のスリーブと前記中間スリーブがそれぞれフランジ接続されていることを特徴とする請求項１記載の金属管付き光ファイバの接続構造。
【請求項４】
前記接続スリーブは、
前記第一の凹凸部を介して前記金属管に圧縮接続され、
前記第二の凹凸部を介して前記接続管に圧縮接続されていることを特徴とする請求項１から３のいずれか一項に記載の金属管付き光ファイバの接続構造。
【請求項５】
前記第一の接続スリーブは、挿入される前記金属管を挟んだ二部材からなる半割構造であり、
前記第二の接続スリーブは、挿入される前記接続管を挟んだ二部材からなる半割構造であり、
前記第一の接続スリーブと前記第二の接続スリーブは、いずれも、二部材を締結する締結部を備えることを特徴とする請求項３記載の金属管付き光ファイバの接続構造。
【発明の詳細な説明】
【技術分野】
【０００１】
本発明は、金属管内に光ファイバを収容してなる金属管付き光ファイバの接続構造に関する
【背景技術】
【０００２】
近年、海底ケーブルを中心に、電力光複合ケーブルの利用が増えている。電力光複合ケーブルは、電力線と通信線の両方を同時に布設することができ、コストの面で優れている。
また、電力光複合ケーブルでは、例えば、３相交流送電のための撚り合わされた３相の電力ケーブルの中心に形成された隙間空間に光ケーブルを配置して隙間空間を有効利用することで、ケーブル全体の小径化、つまり、小型化にも有利である。
【０００３】
上記電力光複合ケーブルに使用される光ケーブルは、外径が小さく、気密性能、耐腐食性に優れていることから、中空鉄線やステンレスのチューブなどの金属管内に光ファイバを収納した金属管付き光ファイバが使用されている。
この金属管付き光ファイバの金属管の内部空間には樹脂製のジェリーが充填されており、海底の水圧による金属管の潰れ、変形を防ぎ、内部の光ファイバの圧縮や微小曲がりによる伝送損失の発生を防ぐ役割がある。
【０００４】
ところで、海底ケーブルとして布設される場合に必要とする長さは、光ケーブルが一連続で製造可能な長さを超えている。
そのため、金属管付き光ファイバを海底ケーブルに利用する場合には、製造された金属管付き光ファイバ同士を工場で接続することが必要である。前述したように、海底ケーブルに金属管付き光ファイバケーブルを使用する場合には、電カケーブルによって生じる隙間空間に配置されるため、金属管付き光ファイバ接続部もせまい空間に収納できる形状となっている。
【０００５】
例えば、一方の金属管付き光ファイバの金属管の接続端部と他方の金属管付き光ファイバの金属管の接続端部とをスリーブ管の一端部と他端部とに挿入し、それぞれを溶接により接続した接続構造が提案されている（例えば、特許文献１参照）。
また、各金属管付き光ファイバの金属管の外周に軸力発生用溝を形成し、当該軸力発生用溝に噛み合うパッキンを内包すると共に金属管を通す貫通孔が形成された袋ナットによりその両端部に金属管を連結する接続パイプを有する接続構造も提案されている（例えば、特許文献２参照）。
【先行技術文献】
【特許文献】
【０００６】
【特許文献１】特開平０５−１１９２２４号公報
【特許文献２】実開平０２−０８７２０４号公報
【発明の概要】
【発明が解決しようとする課題】
【０００７】
しかしながら、上記特許文献１の接続構造は、金属管とスリーブ管の溶接によって接続部の光ファイバが加熱されて破損することを防ぐために、ピンポイントでレーザー溶接を行っているが、このレーザー溶接を行うためには、溶接箇所の径によってそれに合わせたセッティングが必要であり、溶接位置が移動するたびに装置のセッティングが必要となる。このため、セッティング作業が煩難であった。
【０００８】
また、特許文献２の接続構造は、金属管付き光ファイバの金属管の外周に軸力発生用溝を形成する必要があり、当該加工の手間を要すること、金属管が肉薄であったり径が細かったりする場合に加工が難しいこと等が問題であった。
【０００９】
本発明の目的は、金属管に対する加工作業を不要とし、接続作業が容易な金属管付き光ファイバの接続構造を提供することである。
【課題を解決するための手段】
【００１０】
請求項１記載の発明は、金属管付き光ファイバの接続構造において、
金属管と当該金属管内に挿通された光ファイバとを有する金属管付き光ファイバの端部同士を接続する接続構造であって、
それぞれの前記金属管付き光ファイバの光ファイバを内部に通す接続管と、
それぞれの前記金属管付き光ファイバの金属管と前記接続管とを接続する接続スリーブとを備え、
前記接続スリーブの内面には、当該接続スリーブの一端部側から挿入された前記金属管の外面部に接触する第一の凹凸部と、前記接続スリーブの他端部から挿入された前記接続管の外面部と接触する第二の凹凸部とが設けられ、
前記接続スリーブの内面と前記金属管の外面との間に介在する第一のシーリング部材と、
前記接続スリーブの内面と前記接続管の外面との間に介在する第二のシーリング部材とを備えることを特徴とする。
【００１１】
請求項２記載の発明は、請求項１記載の金属管付き光ファイバの接続構造において、
前記接続スリーブは、前記第一の凹凸部を備える第一のスリーブと、前記第二の凹凸部を備える第二のスリーブとを有し、
前記第一のスリーブと前記第二のスリーブとの間に、前記接続管の長手方向に沿った回転軸回りに形成された雄ネジ及び雌ネジからなるネジ構造が形成され、当該ネジ構造により前記第一のスリーブと前記第二のスリーブとが連結されていることを特徴とする。
【００１２】
請求項３記載の発明は、請求項１記載の金属管付き光ファイバの接続構造において、
前記接続スリーブは、前記第一の凹凸部を備える第一のスリーブと、前記第二の凹凸部を備える第二のスリーブと、前記金属管と前記接続管とが一端部と他端部とに個別に挿入される中間スリーブとを有し、
前記第一のシーリング部材及び前記第二のシーリング部材は、前記中間スリーブ内に設けられ、
前記第一のスリーブと前記中間スリーブ及び前記第二のスリーブと前記中間スリーブがそれぞれフランジ接続されていることを特徴とする請求項１記載の金属管付き光ファイバの接続構造。
【００１３】
請求項４記載の発明は、請求項１から３のいずれか一項に記載の金属管付き光ファイバの接続構造において、
前記接続スリーブは、
前記第一の凹凸部を介して前記金属管に圧縮接続され、
前記第二の凹凸部を介して前記接続管に圧縮接続されていることを特徴とする。
【００１４】
請求項５記載の発明は、請求項３記載の金属管付き光ファイバの接続構造において、
前記第一の接続スリーブは、挿入される前記金属管を挟んだ二部材からなる半割構造であり、
前記第二の接続スリーブは、挿入される前記接続管を挟んだ二部材からなる半割構造であり、
前記第一の接続スリーブと前記第二の接続スリーブは、いずれも、二部材を締結する締結部を備えることを特徴とする。
【発明の効果】
【００１５】
本発明は、接続スリーブの内面とある第一のシーリング部材と第二のシーリング部材とが接続される金属管付き光ファイバの金属管同士の接続部に対する水分の侵入を効果的に低減、抑制することができる。
そして、接続スリーブの内面に設けられた第一の凹凸部と第二の凹凸部とがそれぞれ金属管と接続管とを保持するので、従来のようなレーザー溶接作業に比べて金属管付き光ファイバの接続作業を容易に行うことができ、作業負担の軽減並びに作業の迅速化を図ることが可能となる。
また、接続スリーブの第一の凹凸部が金属管を保持するので、当該金属管に対する加工を不要とし、金属管が肉薄又は小径の場合であっても、接続作業を容易に行うことが可能となる。
【図面の簡単な説明】
【００１６】
【図１】第一の実施形態にかかる金属管付き光ファイバの接続構造の全体構成図である。
【図２】第一の実施形態にかかる金属管付き光ファイバの接続構造における一方の光ファイバ側の端部の断面図である。
【図３】接続スリーブの他の例を示す断面図である。
【図４】第二の実施形態にかかる金属管付き光ファイバの接続構造における一方の光ファイバ側の端部の断面図である。
【図５】接続スリーブの他の例による調節動作を示す説明図である。
【図６】第三の実施形態にかかる金属管付き光ファイバの接続構造における一方の光ファイバ側の端部の断面図である。
【図７】図７（Ａ）はフランジ接続の構成を示す側面図、図７（Ｂ）は第一又は第二のスリーブのフランジ部の正面図、図７（Ｃ）は中間スリーブのフランジ部の正面図である。
【図８】図８（Ａ）は第一又は第二のスリーブの他の例を示す斜視図、図８（Ｂ）は組立斜視図である。
【発明を実施するための形態】
【００１７】
［第一の実施形態］
本発明の第一の実施形態である金属管付き光ファイバの接続構造を図面に基づいて説明する。
かかる金属管付き光ファイバの接続構造１００は、海底ケーブルである電力光複合ケーブルの撚り合わされた三心の電力ケーブルの内側中心、または撚り合わせた３本の電力ケーブルとその包絡円とのすき間となる部分（電力ケーブルの肩部）の隙間空間に挿通させる金属管付き光ファイバ２００の接続に適した接続構造である。但し、金属管付き光ファイバの接続構造１００（後述する１００Ａ，１００Ｃも同様）は、上記隙間空間の適用に限定されるものではなく、あらゆる場所、特に周囲が狭い場所での適用に好適である。
【００１８】
［金属管付き光ファイバの接続構造の概略構成］
図１は金属管付き光ファイバの接続構造１００の正面図である。
図示のように、この金属管付き光ファイバの接続構造１００は、同一線上で接続を行う二本の金属管付き光ファイバ２００，２００を、その端部（接続端部とする）同士を向かい合わせに向けた状態で接続する接続構造であって、それぞれの金属管付き光ファイバ２００の光ファイバ（図示略）を内部に通す接続管２０と、それぞれの金属管付き光ファイバ２００の金属管２０１と接続管２０とを接続する接続スリーブ３０，３０とを備えている。
【００１９】
［金属管付き光ファイバ］
金属管付き光ファイバ２００は、中心が全長に渡って貫通しているステンレス製の金属管２０１と、当該金属管２０１の内部に収容された光ファイバとから構成される。かかる光ファイバは、光ファイバ素線、光ファイバ心線、光ファイバコ−ド、或いは光ファイバケ−ブル等いずれの形態であっても良い。
【００２０】
それぞれの金属管付き光ファイバ２００は、その接続端部において金属管２０１の端部から所定の長さで光ファイバが延出された状態にある。そして、一方の金属管付き光ファイバ２００の金属管２０１から延出された光ファイバの余長部分が接続管２０の一端部から内部に挿入された状態にあり、接続管２０の他端部から挿入された同様の状態にあるもう一方の金属管付き光ファイバ２００の光ファイバと当該接続管２０の内部で接続されている。
【００２１】
［接続管］
図２は金属管付き光ファイバの接続構造１００における一方の光ファイバ２００側の端部の断面図である。
接続管２０は、全長に渡って外径が均一であって、中心部に光ファイバの挿通孔が貫通形成されており、ステンレス、銅、アルミ、チタン等の耐錆性の金属からなる円管である。
中心の挿通孔の内径は、金属管付き光ファイバ２００の金属管２０１の外径とほぼ等しく且つ挿入可能である。
【００２２】
［接続スリーブ］
接続スリーブ３０は、接続管２０の両端部において同一構造のものが使用されるので、片側の接続スリーブのみについて説明する。
この接続スリーブ３０は、一端が小径円筒部３１、他端が大径円筒部３２、中間が小径円筒部３１と大径円筒部３２とに連なる円錐台形状部３３とからなる回転体であり、接続管２０と同様の耐錆性の金属から形成されている。
そして、接続スリーブ３０の中心には、小径円筒部３１側の端部に金属管２０１の挿入孔３４が形成され、大径円筒部３２側の端部には接続管２０の挿入孔３５が形成されている。これらの挿入孔３４，３５は同心であって、段部３６を境界として連通している。
【００２３】
金属管２０１の挿入孔３４は、その内面に形成された螺旋溝からなる第一の凹凸部３４１と、溝がなく内径が均一な等径部３４２とを備えている。
第一の凹凸部３４１は、接続スリーブ３０の金属管２０１側の端部に位置し、内周面に形成された螺旋溝によって三角形の山と谷とが繰り返す断面形状となっている。この第一の凹凸部３４１の山の先端部の内径は、挿入孔３４に挿入された金属管２０１が容易に抜けなくなるように山の先端部が金属管２０１の外周に摺接する寸法に設定されている。例えば、金属管２０１の外径に対して、第一の凹凸部３４１の山の先端部の内径は締まりばめ又は中間ばめとなる寸法に設定されている。
【００２４】
第一の凹凸部３４１の螺旋溝は、例えばネジ穴を形成するタップのような工具によって簡易に形成することが可能である。また、溝の形状や寸法はタップの形状、大きさを管理することで任意に設定することができる。
なお、第一の凹凸部３４１の凹凸形状は、挿入された金属管２０１に対して引き抜き抵抗が大きくなる形状であれば良く、螺旋溝ではなく、一周が連続した溝を中心線方向（金属管２０１の挿抜方向）に複数並んで形成しても良い。また、その断面形状も、三角形状に限らず、矩形状或いは挿入方向に歯先を向けた鋸歯状としても良い。また、溝に限らず挿入孔３４の内周面にローレット加工を施して第一の凹凸部３４１を形成しても良い。
【００２５】
等径部３４２は、第一の凹凸部３４１よりも段部３６側に位置している。この等径部３４２は、金属管２０１の外径よりも僅かに内径が大きく設定されており、金属管２０１が挿入されると僅かに隙間を生じる寸法となっている。
そして、この等径部３４２は、途中箇所にリング溝３４３が形成されており、その内部には第一のシーリング部材としてのＯリング３７が格納されている。このＯリング３７により、挿入孔３４から段部３６側への水分の進入を抑止、低減させることができる。
【００２６】
接続管２０の挿入孔３５は、その内面に形成された螺旋溝からなる第二の凹凸部３５１と、溝がなく内径が均一な等径部３５２とを備えている。
第二の凹凸部３５１は、接続スリーブ３０の接続管２０側の端部に位置し、内周面に形成された螺旋溝によって三角形の山と谷とが繰り返す断面形状となっている。この第二の凹凸部３５１の山の先端部の内径は、挿入孔３５に挿入された接続管２０が容易に抜けなくなるように山の先端部が接続管２０の外周に摺接する寸法に設定されている。例えば、接続管２０の外径に対して、第二の凹凸部３５１の山の先端部の内径は締まりばめ又は中間ばめとなる寸法に設定されている。
【００２７】
なお、第二の凹凸部３５１の凹凸形状も、第一の凹凸部３４１と同様に、一周が連続した複数の溝から形成しても良いし、その断面形状も、矩形状、鋸歯状としても良い。また、溝に限らずローレット加工としても良い。
【００２８】
等径部３５２は、第二の凹凸部３５１よりも段部３６側に位置している。この等径部３５２は、接続管２０の外径よりも僅かに内径が大きく設定されており、接続管２０が挿入されると僅かに隙間を生じる寸法となっている。
そして、この等径部３５２は、途中箇所にリング溝３５３が形成されており、その内部には第二のシーリング部材としてのＯリング３８が格納されている。このＯリング３８により、挿入孔３５から段部３６側への水分の進入を抑止、低減させることができる。
【００２９】
接続管２０の端部は挿入孔３４側のＯリング３７と挿入孔３５側のＯリング３８との間に位置しており、接続スリーブ３０の両端部からの水分の侵入を抑止、低減している。このため、金属管２０１の接続端部から延出された光ファイバに外部からの水分が付着することを効果的に抑止、低減し、光ファイバの保護を図ることができるようになっている。
【００３０】
また、第一の凹凸部３４１と第二の凹凸部３５１の形成範囲に対して、小径円筒部３１の外周面と大径円筒部３２の外周面に、油圧を用いた圧縮装置を用いて外周形状が塑性変形を生じる程度の加圧を行い、内部の金属管２０１と接続管２０とに対して圧縮接続を行うことがより望ましい。
これにより、金属管２０１と接続管２０とをより強固に接続することが可能である。
【００３１】
なお、接続スリーブ３０の中心線方向（金属管２０１と接続管２０の挿入方向）について、Ｏリング３７，３８は、第一の凹凸部３４１と第二の凹凸部３５１に対して異なる位置に配置しているので、圧縮接続を行った場合でも、外部からの水分の侵入を抑止、低減する遮水性能は損なわれない。
また、接続スリーブ３０の圧縮が行われる外周部は軟らかく、中心側は固くなるように材料や加工方法を工夫すれば、遮水性能についてさらに信頼性が向上する。
なお、上記圧縮接続を行う場合には、第一の凹凸部３４１と第二の凹凸部３５１の山の先端部の内径は、金属管２０１又は接続管２０に対して隙間が生じる寸法としても良い。
【００３２】
［防水処理］
また、図１の符号４０に示すように、一方の金属管付き光ファイバ２００の金属管２０１の外周面から他方の金属管付き光ファイバ２００の金属管２０１の外周面にかけて、二つの接続スリーブ３０，３０の外周面及び接続管２０の外周面全体を含むように、防水被覆層を形成しても良い。例えば、上記範囲を防水テープによるテープ巻き層や収縮チューブ或いはこれらの併用にて被覆して防水被覆層４０を形成しても良い。また、硬化性の樹脂を溶融状態とし、上記範囲を当該樹脂に含浸させて、その後、硬化した樹脂を防水被覆層４０としても良い。
【００３３】
［金属管付き光ファイバの接続方法］
次に、上記金属管付き光ファイバの接続構造１００を形成する金属管付き光ファイバの接続方法について図１及び図２に基づいて簡単に説明する。
接続を行う一方の金属管付き光ファイバ２００に対して、予め、一方の接続スリーブ３０及び接続管２０が接続端部より奥まで嵌挿され、他方の金属管付き光ファイバ２００に対して、予め、他方の接続スリーブ３０が接続端部より奥まで嵌挿されている。
そして、各金属管付き光ファイバ２００の金属管２０１の先端部を除去し、内部の光ファイバを所定の長さで外部に延出された状態とし、光ファイバ同士を接続する。
次に、光ファイバが接続管２０の内部に位置するように当該接続管２０を移動させる。
【００３４】
さらに、接続管２０の両端部に各金属管付き光ファイバ２００の金属管２０１の接続端部を挿入し、各接続スリーブ３０を金属管付き光ファイバ２００に沿って移動させて、当該各接続スリーブ３０に接続管２０の両端部を奥まで挿入する。
これにより、図２に示すように、接続管２０の接続端部は、接続スリーブ３０の段部３６まで挿入され、金属管付き光ファイバ２００の金属管２０１の接続端部は接続管２０の挿通孔に挿入された状態となる。
【００３５】
かかる状態において、接続スリーブ３０に対して金属管２０１と接続管２０とが第一の凹凸部３４１及び第二の凹凸部３５１によって、所定の張力に対して引き抜かれないように十分な保持力を得られる場合には圧縮接続は行わず、十分な保持力が得られない場合には圧縮接続を行う。
【００３６】
そして、一方の金属管付き光ファイバ２００の金属管２０１の外周面から他方の金属管付き光ファイバ２００の金属管２０１の外周面にかけて防水被覆層４０を形成し、金属管付き光ファイバ２００の接続作業が完了する。
【００３７】
［第一の実施形態の技術的効果］
上記金属管付き光ファイバの接続構造１００は、主に、接続管２０とその両端部に配置された接続スリーブ３０，３０とからなる構成なので、部材が金属管付き光ファイバ２００の長手方向に沿って並ぶことから、三心の電力ケーブルを有する海底ケーブルにおける電力ケーブルの肩部となる狭い隙間空間に容易に配置することが可能である。
さらに、上記金属管付き光ファイバの接続構造１００は、接続スリーブ３０の挿入孔３４，３５の内面に設けられた第一の凹凸部３４１と第二の凹凸部３５１とがそれぞれ金属管２０１と接続管２０とを保持するので、従来のようなレーザー溶接作業に比べて金属管付き光ファイバ２００の接続作業を容易に行うことができ、作業負担の軽減並びに作業の迅速化を図ることが可能となる。
また、接続スリーブ３０の第一の凹凸部３４１が金属管２０１を保持するので、当該金属管２０１に対する加工を不要とし、金属管２０１が肉薄又は小径の場合であっても、接続作業を容易に行うことが可能となる。
【００３８】
また、接続スリーブ３０を、第一の凹凸部３４１を介して金属管２０１に圧縮接続し、第二の凹凸部３５１を介して接続管２０に圧縮接続した場合には、圧縮という熟練を不要とした簡易な方法により金属管２０１及び接続管２０をより強固に接続することが可能となる。また、圧縮部分には第一及び第二の凹凸部３４１，３５１が存在するので、金属管２０１及び接続管２０をより強固に食い込んで保持することができ、例えば、海底ケーブルを水深が深い海底部に敷設する際のように、ケーブルに大きな張力が発生する場合にも接続強度を十分に確保することが可能となる。
【００３９】
［その他］
なお、図３に示すようにＯリング３７，３８の数は二つに増やしてもよく、さらにそれ以上に増やしてもよい。これにより遮水性能をより向上させることが可能である。
また、図３のように、第一の凹凸部３４１と第二の凹凸部３５１の形成範囲はより広くしてもよい。これにより、金属管２０１や接続管２０をより強固に保持して、各金属管付き光ファイバ２００により大きな張力が発生する場合にも接続強度を十分に確保することが可能となる。なお、逆に強度が過剰な場合には、第一の凹凸部３４１と第二の凹凸部３５１の形成範囲はより狭くして、接続スリーブ３０の小型化を図ってもよい。
【００４０】
［第二の実施形態］
本発明の第二の実施形態である金属管付き光ファイバの接続構造１００Ａを図面に基づいて説明する。
図４は金属管付き光ファイバの接続構造１００Ａにおける一方の光ファイバ２００側の端部の断面図である。
なお、この金属管付き光ファイバの接続構造１００Ａについては、前述した金属管付き光ファイバの接続構造１００と同一の構成については同一の符号付して重複する説明は省略し、主に異なる点について説明する。
【００４１】
この金属管付き光ファイバの接続構造１００Ａは、接続スリーブ３０Ａが、第一の凹凸部３４１を備える第一のスリーブ５０Ａと、第二の凹凸部３５１を備える第二のスリーブ６０Ａとを有し、これらがネジ構造により連結されている点が金属管付き光ファイバの接続構造１００と異なっている。
【００４２】
第一のスリーブ５０Ａは、中心が貫通した略円筒状の回転体であり、接続スリーブ３０と同一の耐錆性の金属から形成されている。
この第一のスリーブ５０Ａの一端部の中心には、金属管２０１の挿入孔５１Ａが形成され、他端部の中心には接続管２０の挿入孔５２Ａが形成されている。これらの挿入孔５１Ａ，５２Ａは同心であって、段部５３Ａを境界として連通している。
【００４３】
第一のスリーブ５０Ａの挿入孔５１Ａは、前述した接続スリーブ３０の挿入孔３４と同一構造であり、第一の凹凸部３４１と等径部３４２とを有し、等径部３４２にはリング溝３４３が形成されてＯリング３７が格納されている。
また、挿入孔５２Ａは、前述した接続スリーブ３０の等径部３５２と同一構造であり、リング溝３５３が形成されてＯリング３８が格納されている。
【００４４】
さらに、第一のスリーブ５０Ａの他端部の外周面には雄ネジ５４Ａが形成されている。この雄ネジ５４Ａは、接続管２０の長手方向に沿った中心線回りに形成されており、第一のスリーブ５０Ａと第二のスリーブ６０Ａとを連結するネジ構造の一部である。
【００４５】
第二のスリーブ６０Ａは、中心が貫通した略円筒状の回転体であり、接続スリーブ３０と同一の耐錆性の金属から形成されている。
この第二のスリーブ６０Ａの一端部の中心には、第一のスリーブ５０Ａの他端部の挿入孔６１Ａが形成され、他端部の中心には接続管２０の挿入孔６２Ａが形成されている。
【００４６】
第一のスリーブ５０Ａと第二のスリーブ６０Ａとは、連結時には同心となり、第一のスリーブ５０Ａの挿入孔５２Ａと第二のスリーブ６０Ａの挿入孔６２Ａはほぼ内径が等しく、接続管２０は、挿入孔６２Ａから挿入孔５２Ａにかけて挿入された状態となる。
また、挿入孔６２Ａは、前述した接続スリーブ３０の第二の凹凸部３５１と同一構造を備えている。
【００４７】
さらに、第二のスリーブ６０Ａの挿入孔６１Ａの内周面には雌ネジ６４Ａが形成されている。この雌ネジ６４Ａは、接続管２０の長手方向に沿った中心線回りに形成されており、第一のスリーブの雄ネジ５４Ａと螺合し、第一のスリーブ５０Ａと第二のスリーブ６０Ａとを連結することができる。
【００４８】
第一のスリーブ５０Ａの第一の凹凸部３４１は、金属管付き光ファイバ２００の金属管２０１を挿入し保持することができるが、第一の凹凸部３４１の形成位置の外周を圧縮し、金属管２０１をより強固に圧縮接続することも可能である。
同様に、第二のスリーブ６０Ａの第二の凹凸部３５１は、接続管２０を挿入し保持することができるが、第二の凹凸部３５１の形成位置の外周を圧縮し、接続管２０をより強固に圧縮接続することも可能である。
【００４９】
この金属管付き光ファイバの接続構造１００Ａは、金属管付き光ファイバの接続構造１００と同一の技術的効果を有すると共に、第一のスリーブ５０Ａの雄ネジ５４Ａを第二のスリーブ６０Ａの雌ネジ６４Ａとがネジ構造を構成しているので、第一のスリーブ５０Ａと第二のスリーブ６０Ａを相対的に回転操作することにより、相互に保持された金属管２０１と接続管２０との中心線方向の相対的な位置を調節することが可能である。
例えば、これにより、金属管２０１から延出されて接続管２０内にてファイバ接続部とともに収納される光ファイバの余長量を調節することが可能となる。光ファイバの余長量は、金属管付き光ファイバの耐張力に関わる重要な指標であり、光ファイバの余長量の適正に調節可能となることにより、金属管付き光ファイバの接続構造１００Ａの信頼性の向上を図ると共に、調節を容易に行えるので調節の作業性の向上も図ることが可能となる。
なお、上記調節は、防水被覆層４０の形成前に行う必要がある。
【００５０】
なお、接続管２０の両端部に位置する接続スリーブ３０Ａは、いずれも完全に同一構造のものを使用しても良いが、図５に示すように、一端部側の接続スリーブ３０Ａに対して、第一のスリーブ５０Ａと第二のスリーブ６０Ａの間に設けられたネジ構造が接続スリーブ３０Ａとは逆ネジで形成された接続スリーブ３０Ｂを他端部側に使用しても良い。
その場合、接続管２０を所定方向に回すと、その両側において第一のスリーブ５０Ａが保持する金属管２０１同士を互いに接近する方向に移動調節することができ（図５の白矢印）、接続管２０を逆方向に回すと、その両側において第一のスリーブ５０Ａが保持する金属管２０１同士を互いに離隔する方向に移動調節することができる（図５の黒矢印）。
従って、接続管２０の一端部と他端部とで個別に調節を行う必要がなく、また、保持された金属管付き光ファイバ２００に捻れが生じないようにすることができ、接続管２０内に収納される光ファイバ余長量についての調節作業をさらに容易且つ良好に行うことが可能となる。
【００５１】
なお、この金属管付き光ファイバの接続構造１００Ａの場合も、接続スリーブ３０Ａ，３０ＢのＯリング３７，３８の個体数を増やしても良く、また、第一及び第二の凹凸部３４１，３５１の形成範囲を変更してもよい。
【００５２】
［第三の実施形態］
本発明の第三の実施形態である金属管付き光ファイバの接続構造１００Ｃを図面に基づいて説明する。
図６は金属管付き光ファイバの接続構造１００Ｃにおける一方の光ファイバ２００側の端部の断面図である。
なお、この金属管付き光ファイバの接続構造１００Ｃについては、前述した金属管付き光ファイバの接続構造１００と同一の構成については同一の符号付して重複する説明は省略し、主に異なる点について説明する。
【００５３】
この金属管付き光ファイバの接続構造１００Ｃは、接続スリーブ３０Ｃが、第一の凹凸部３４１を備える第一のスリーブ５０Ｃと、第二の凹凸部３５１を備える第二のスリーブ６０Ｃと、金属管２０１と接続管２０とが両端部から個別に挿入される中間スリーブ７０Ｃとを有し、第一のスリーブ５０Ｃと中間スリーブ７０Ｃ及び第二のスリーブ６０Ｃと中間スリーブ７０Ｃがそれぞれフランジ接続されている点が金属管付き光ファイバの接続構造１００と異なっている。
また、第一のスリーブ５０Ｃと第二のスリーブ６０Ｃと中間スリーブ７０Ｃは、いずれも金属管２０１及び接続管２０と同心となる略回転体形状であって、金属管２０１側に第一のスリーブ５０Ｃが配置され、接続管２０側に第二のスリーブ６０Ｃが配置され、それらの間に中間スリーブ７０Ｃが配置されている。
【００５４】
第一のスリーブ５０Ｃは、中心が貫通した略円筒状の回転体であり、接続スリーブ３０と同一の耐錆性の金属から形成されている。
この第一のスリーブ５０Ｃの中心には、金属管２０１の挿入孔５１Ｃが貫通形成され、その内周面には、前述した接続スリーブ３０と同一構造の第一の凹凸部３４１が形成されている。
【００５５】
また、第一のスリーブ５０Ｃにおける中間スリーブ７０Ｃ側の端部の外周には直径方向の両外側に向かって延出された一対のフランジ部５４Ｃ，５４Ｃが設けられている。このフランジ部５４Ｃ，５４Ｃは、図７に示すように、中間スリーブ７０Ｃにおける第一のスリーブ５０Ｃ側の端部の外周に設けられた一対のフランジ部７４Ｃ，７４Ｃとボルトとナットとにより締結され、フランジ接続が行われる。
なお、第一のスリーブ５０Ｃのフランジ部５４Ｃには円形のボルト通し孔５４１Ｃが形成されているが、中間スリーブ７０Ｃのフランジ部７４Ｃにはその直径方向に沿った長穴状のボルト通し孔７４１Ｃが形成され、各スリーブ５０Ｃ，７０Ｃの加工誤差や組立誤差に対応できるようになっている。
【００５６】
第二のスリーブ６０Ｃは、中心が貫通した略円筒状の回転体であり、接続スリーブ３０と同一の耐錆性の金属から形成されている。
この第二のスリーブ６０Ｃの中心には、接続管２０の挿入孔６１Ｃが貫通形成され、その内周面には、前述した接続スリーブ３０と同一構造の第二の凹凸部３５１が形成されている。
【００５７】
また、第二のスリーブ６０Ｃにおける中間スリーブ７０Ｃ側の端部の外周にも一対のフランジ部６４Ｃ，６４Ｃが設けられている。このフランジ部６４Ｃ，６４Ｃは、図７に示すように、中間スリーブ７０Ｃにおける第二のスリーブ６０Ｃ側の端部の外周に設けられた一対のフランジ部７５Ｃ，７５Ｃとボルトとナットとにより締結され、フランジ接続が行われる。
なお、第二のスリーブ６０Ｃのフランジ部６４Ｃには円形のボルト通し孔６４１Ｃが形成され、中間スリーブ７０Ｃのフランジ部７５Ｃには長穴状のボルト通し孔７５１Ｃが形成されている。
【００５８】
中間スリーブ７０Ｃの一端部の中心には、金属管２０１の挿入孔７１Ｃが形成され、他端部の中心には接続管２０の挿入孔７２Ｃが形成されている。これらの挿入孔７１Ｃ，７２Ｃは同心であって、段部７３Ｃを境界として連通している。
中間スリーブ７０Ｃの挿入孔７１Ｃは、接続スリーブ３０の等径部３４２と同一構造であり、リング溝３４３が形成されてＯリング３７が格納されている。
また、挿入孔７２Ｃは、前述した接続スリーブ３０の等径部３５２と同一構造であり、リング溝３５３が形成されてＯリング３８が格納されている。
【００５９】
第一のスリーブ５０Ｃと中間スリーブ７０Ｃとは、連結時には同心となり、第一のスリーブ５０Ｃの挿入孔５１Ｃと中間スリーブ７０Ｃの挿入孔７１Ｃはほぼ内径が等しく、金属管２０１は、挿入孔５１Ｃから挿入孔７１Ｃにかけて挿入された状態となる。
また、第二のスリーブ６０Ｃと中間スリーブ７０Ｃとは、連結時には同心となり、第二のスリーブ６０Ｃの挿入孔６１Ｃと中間スリーブ７０Ｃの挿入孔７２Ｃはほぼ内径が等しく、接続管２０は、挿入孔６１Ｃから挿入孔７２Ｃにかけて挿入された状態となる。
【００６０】
第一のスリーブ５０Ｃの第一の凹凸部３４１は、金属管付き光ファイバ２００の金属管２０１を挿入し保持することができるが、第一の凹凸部３４１の形成位置の外周を圧縮し、金属管２０１をより強固に圧縮接続することも可能である。
同様に、第二のスリーブ６０Ｃの第二の凹凸部３５１は、接続管２０を挿入し保持することができるが、第二の凹凸部３５１の形成位置の外周を圧縮し、接続管２０をより強固に圧縮接続することも可能である。
【００６１】
この金属管付き光ファイバの接続構造１００Ｃは、金属管付き光ファイバの接続構造１００と同一の技術的効果を有すると共に、第一の凹凸部３４１又は第二の凹凸部３５１と、遮水構造であるＯリング３７，３８とを別体のスリーブに設けているので、例えば、第一の凹凸部３４１又は第二の凹凸部３５１に対する金属管２０１又は接続管２０の挿入作業を行った場合や圧縮接続を行った場合でもＯリングによる遮水効果に影響が及ばす、遮水性を良好に維持し、信頼性の向上を図ることが可能となる。
なお、第一のスリーブ５０Ｃと中間スリーブ７０Ｃを一体化し、第二のスリーブ６０Ｃのみを別体としても良いし、第二のスリーブ６０Ｃと中間スリーブ７０Ｃを一体化し、第一のスリーブ５０Ｃのみを別体としても良い。
【００６２】
なお、この金属管付き光ファイバの接続構造１００Ｃの場合も、接続スリーブ３０ＣのＯリング３７，３８の個体数を増やしても良く、また、第一及び第二の凹凸部３４１，３５１の形成範囲を変更してもよい。
【００６３】
なお、第一のスリーブ５０Ｃ及び第二のスリーブ６０Ｃは、図８に示すように、金属管２０１又は接続管２０が挿入される挿入孔５１Ｃ，６１Ｃを挟んで分割した二部材５１０Ｃ，６１０Ｃからなる半割構造としても良い。そして、第一のスリーブ５０Ｃ及び第二のスリーブ６０Ｃは、挿入孔５１Ｃ又は６１Ｃに挿入された金属管２０１又は接続管２０を挟持することができるように、分割された二部材を接近する方向に締結するための締結部としてのボルト５５Ｃ，６５Ｃを通す貫通孔５１１Ｃ，６１１Ｃが形成されている。
第一のスリーブ５０Ｃ及び第二のスリーブ６０Ｃを上記構成とすることにより、圧縮接続を行うことなく、金属管２０１、接続管２０をボルト５５Ｃ，６５Ｃの締結によって強固に保持することができ、金属管付き光ファイバ２００を強力に接続することが可能となる。
なお、分割された二部材５１０Ｃ，６１０Ｃは、いずれも締結しやすいようにそれぞれが回転体形状ではなく、矩形のブロック状に形成されている。
【００６４】
また、図８の例では、分割された二部材５１０Ｃ，６１０Ｃのそれぞれにフランジ部を二つずつ設けているが、分割された二部材５１０Ｃ，６１０Ｃに一つずつフランジ部を設ける構成としても良い。
【符号の説明】
【００６５】
２０  接続管
３０，３０Ａ，３０Ｂ  接続スリーブ
３４，３５，５１Ａ，５２Ａ，５１Ｃ，６１Ａ，６２Ａ，６１Ｃ，７１Ｃ，７２Ｃ  挿入孔
３７  Ｏリング（第一のシーリング部材）
３８  Ｏリング（第二のシーリング部材）
４０  防水被覆層
５０Ａ，５０Ｃ  第一のスリーブ
５４Ａ  雄ネジ
５４Ｃ，６４Ｃ，７４Ｃ，７５Ｃ  フランジ部
５５Ｃ，６５Ｃ  ボルト
６０Ａ，６０Ｃ  第二のスリーブ
６４Ａ  雌ネジ
７０Ｃ  中間スリーブ
１００，１００Ａ，１００Ｃ  接続構造
２００  光ファイバ
２０１  金属管
３４１  第一の凹凸部
３４２  等径部
３４３  リング溝
３５１  第二の凹凸部
３５２  等径部
３５３  リング溝
５１０Ｃ，６１０Ｃ  分割された部材
５１１Ｃ，６１１Ｃ  貫通孔
【図１】
2017191136.tif 000003
【図２】
2017191136.tif 000004
【図３】
2017191136.tif 000005
【図４】
2017191136.tif 000006
【図５】
2017191136.tif 000007
【図６】
2017191136.tif 000008
【図７】
2017191136.tif 000009
【図８】
2017191136.tif 000010